【手続補正書】
【提出日】平成17年8月30日(2005.8.30)
【手続補正１】
【補正対象書類名】明細書
【補正対象項目名】発明の名称
【補正方法】変更
【補正の内容】
【発明の名称】３レベル中性点クランプ形インバータ
【手続補正２】
【補正対象書類名】明細書
【補正対象項目名】特許請求の範囲
【補正方法】変更
【補正の内容】
【特許請求の範囲】
【請求項１】４つのスイッチ素子を直列接続した３レベル中性点クランプ形インバータにおいて、
前記スイッチ素子の複数個を各々駆動する複数の絶縁電源と、
前記スイッチ素子の残りのスイッチ素子を各々駆動する複数のキャパシタと、  該キャパシタを前記絶縁電源によって充電する充電回路とを有し、
該キャパシタに充電された電荷を前記残りのスイッチ素子の駆動に利用することを特徴とする３レベル中性点クランプ形インバータ。
【請求項２】  請求項１記載の３レベル中性点クランプ形インバータにおいて、
前記複数の絶縁電源を分圧回路を用いて１個の絶縁電源にすることを特徴とする３レベル中性点クランプ形インバータ。
【請求項３】  請求項１又は２記載の３レベル中性点クランプ形インバータにおいて、
前記充電回路中に電流制限抵抗を設けたことを特徴とする３レベル中性点クランプ形インバータ。
【請求項４】  ４つのスイッチ素子を直列接続した３レベル中性点クランプ形インバータにおいて、
前記４つのスイッチ素子で正母線につながる前記スイッチ素子を第１のスイッチ素子とし、前記第１のスイッチ素子と相出力端子との間に接続されたスイッチ素子を第２のスイッチ素子とし、前記相出力端子に接続されたもう一つのスイッチ素子を第３のスイッチ素子とし、前記第３のスイッチ素子と負母線との間に接続されたスイッチ素子を第４のスイッチ素子とすると、
絶縁電源を２つ、整流素子を２つ、キャパシタを２つ備え、第１の絶縁電源を前記第１のスイッチ素子の駆動用電源とし、第２の絶縁電源を前記第４のスイッチ素子の駆動用電源とし、前記第２の絶縁電源と第１の整流素子と第１のキャパシタと前記第３のスイッチ素子と前記第４のスイッチ素子を直列接続し、かつ、前記第３のスイッチ素子と前記第４のスイッチ素子が同時にオンになった時に前記第１のキャパシタが前記第２の絶縁電源から充電される回路構成とし、
また、前記第２の絶縁電源と前記第２の整流素子と前記第２のキャパシタと前記第４のスイッチ素子を直列接続し、かつ、前記第４のスイッチ素子がオンになった時に第２のキャパシタが前記第２の絶縁電源から充電される回路構成とし、
前記第１のキャパシタの電荷を前記第２のスイッチ素子の駆動電源として利用し、前記第２のキャパシタの電荷を前記第３のスイッチ素子の駆動電源として利用する回路構成にしたことを特徴とした３レベル中性点クランプ形インバータ。
【請求項５】  請求項４記載の３レベル中性点クランプ形インバータにおいて、
さらに、第３の絶縁電源と第４の絶縁電源を備え、第３の整流素子と第４の整流素子を備え、第３のキャパシタと第４のキャパシタを備え、前記第３の絶縁電源と前記第３の整流素子と前記第３のキャパシタと請求項１の第２のスイッチ素子を直列接続し、かつ、前記第２のスイッチ素子がオンになった時に前記第３のキャパシタが前記第３の絶縁電源から充電される回路構成とし、
また、前記第３の絶縁電源と前記第４の整流素子と前記第４のキャパシタと前記第２のスイッチ素子と請求項１の第３のスイッチ素子を直列接続し、かつ、前記第２のスイッチ素子と前記第３のスイッチ素子が同時にオンになった時に前記第４のキャパシタが前記第３の絶縁電源から充電される回路構成とし、
前記第３の絶縁電源の正極を請求項１の第１のスイッチ素子と前記第２のスイッチ素子との接続点に接続し、前記第４の絶縁電源の正極を請求項１の負母線に接続し、前記第３の絶縁電源を前記第１のスイッチ素子の逆バイアス用駆動電源として利用し、前記第３のキャパシタを前記第２のスイッチ素子の逆バイアス用駆動電源として利用し、前記第４のキャパシタを前記第３のスイッチ素子の逆バイアス用駆動電源として利用し、前記第４の絶縁電源を請求項１の第４のスイッチ素子の逆バイアス用駆動電源として利用する回路構成にしたことを特徴とした３レベル中性点クランプ形インバータ。
【請求項６】  請求項５記載の３レベル中性点クランプ形インバータにおいて、
前記２個の絶縁電源を分圧回路を用いて１個の絶縁電源にすることを特徴とする３レベル中性点クランプ形インバータ。
【請求項７】  ４つのスイッチ素子を直列接続した３レベル中性点クランプ形インバータにおいて、
前記４つのスイッチ素子で正母線につながる前記スイッチ素子を第１のスイッチ素子とし、前記第１のスイッチ素子と相出力端子との間に接続されたスイッチ素子を第２のスイッチ素子とし、前記相出力端子に接続されたもう一つのスイッチ素子を第３のスイッチ素子とし、前記第３のスイッチ素子と負母線との間に接続されたスイッチ素子を第４のスイッチ素子とすると、
絶縁電源を２つ、整流素子を２つ、キャパシタを２つ備え、第１の絶縁電源を前記第１のスイッチ素子の駆動用電源とし、第２の絶縁電源を前記第４のスイッチ素子の駆動用電源とし、前記第２の絶縁電源と第１の整流素子と第２の整流素子と第１のキャパシタと前記第３のスイッチ素子と前記第４のスイッチ素子を直列接続し、かつ、前記第３のスイッチ素子と前記第４のスイッチ素子が同時にオンになった時に前記第１のキャパシタが前記第２の絶縁電源から充電される回路構成とし、また、前記第２の絶縁電源と前記第２の整流素子と前記第２のキャパシタと前記第４のスイッチ素子を直列接続し、かつ、前記第４のスイッチ素子がオンになった時に前記第２のキャパシタが前記第２の絶縁電源から充電される回路構成とし、前記第１のキャパシタの電荷を前記第２のスイッチ素子の駆動電源として利用し、前記第２のキャパシタの電荷を前記第３のスイッチ素子の駆動電源として利用する回路構成にしたことを特徴とした３レベル中性点クランプ形インバータ。
【請求項８】  請求項７記載の３レベル中性点クランプ形インバータにおいて、
さらに、第３の絶縁電源と第４の絶縁電源を備え、第３の整流素子と第４の整流素子を備え、第３のキャパシタと第４のキャパシタを備え、前記第３の絶縁電源と前記第３の整流素子と前記第３のキャパシタと請求項４の第２のスイッチ素子を直列接続し、かつ、前記第２のスイッチ素子がオンになった時に前記第３のキャパシタが前記第３の絶縁電源から充電される回路構成とし、また、前記第３の絶縁電源と前記第３の整流素子と前記第４の整流素子と前記第４のキャパシタと前記第２のスイッチ素子と請求項４の第３のスイッチ素子を直列接続し、かつ、前記第３のスイッチ素子と前記第４のスイッチ素子が同時にオンになった時に前記第４のキャパシタが前記第３の絶縁電源から充電される回路構成とし、
前記第３の絶縁電源の正極を請求項４の第１のスイッチ素子と前記第２のスイッチ素子との接続点に接続し、前記第４の絶縁電源の正極を請求項４の負母線に接続し、前記第３の絶縁電源を前記第１のスイッチ素子の逆バイアス用駆動電源として利用し、前記第３のキャパシタの電荷を前記第２のスイッチ素子の逆バイアス用駆動電源として利用し、前記第４のキャパシタの電荷を前記第３のスイッチ素子の逆バイアス用駆動電源として利用し、前記第４の絶縁電源を前記第４のスイッチ素子の逆バイアス用駆動電源として利用する回路構成にしたことを特徴とする３レベル中性点クランプ形インバータ。
【請求項９】  請求項７記載の３レベル中性点クランプ形インバータにおいて、
前記２個の絶縁電源を分圧回路を用いて１個の絶縁電源にすることを特徴とする３レベル中性点クランプ形インバータ。
【請求項１０】  請求項４記載の３レベル中性点クランプ形インバータにおいて、
前記第１及び第２の整流素子と各々直列に電流制限抵抗を設けたことを特徴とする３レベル中性点クランプ形インバータ。
【請求項１１】  請求項５記載の３レベル中性点クランプ形インバータにおいて、
前記第１、第２、第３、第４の整流素子と各々直列に電流制限抵抗を設けたことを特徴とする３レベル中性点クランプ形インバータ。
【請求項１２】  請求項６記載の３レベル中性点クランプ形インバータにおいて、
前記第１、第２、第３、第４の整流素子と各々直列に電流制限抵抗を設けたことを特徴とする３レベル中性点クランプ形インバータ。
【請求項１３】  請求項７記載の３レベル中性点クランプ形インバータにおいて、
前記第１及び第２の整流素子と各々直列に電流制限抵抗を設けたことを特徴とする３レベル中性点クランプ形インバータ。
【請求項１４】  請求項８記載の３レベル中性点クランプ形インバータにおいて、
前記第１、第２、第３、第４の整流素子と各々直列に電流制限抵抗を設けたことを特徴とする３レベル中性点クランプ形インバータ。
【請求項１５】  請求項９記載の３レベル中性点クランプ形インバータにおいて、
第１、第２、第３、第４の整流素子と各々直列に電流制限抵抗を設けたことを特徴とする３レベル中性点クランプ形インバータ。
【請求項１６】  請求項記載４の３レベル中性点クランプ形インバータにおいて、
前記第２の絶縁電源と直列に電流制限抵抗を設けたことを特徴とする３レベル中性点クランプ形インバータ。
【請求項１７】  請求項５記載の３レベル中性点クランプ形インバータにおいて、
前記第２及び第３の絶縁電源と直列に電流制限抵抗を設けたことを特徴とする３レベル中性点クランプ形インバータ。
【請求項１８】  請求項６記載の３レベル中性点クランプ形インバータにおいて、
第５及び第６の分圧回路と直列に電流制限抵抗を設けたことを特徴とする３レベル中性点クランプ形インバータ。
【請求項１９】  請求項７記載の３レベル中性点クランプ形インバータにおいて、
前記第２の絶縁電源と直列に電流制限抵抗を設けたことを特徴とする３レベル中性点クランプ形インバータ。
【請求項２０】  請求項８記載の３レベル中性点クランプ形インバータにおいて、
前記第２及び第３の絶縁電源と直列に電流制限抵抗を設けたことを特徴とする３レベル中性点クランプ形インバータ。
【請求項２１】  請求項９記載の３レベル中性点クランプ形インバータにおいて、
前記第５及び第６の分圧回路と直列に電流制限抵抗を設けたことを特徴とする３レベル中性点クランプ形インバータ。
【手続補正３】
【補正対象書類名】明細書
【補正対象項目名】０００４
【補正方法】変更
【補正の内容】
【０００４】
【課題を解決するための手段】本発明は前記課題を解決するもので、請求項１記載の発明は、４つのスイッチ素子を直列接続した３レベル中性点クランプ形インバータにおいて、前記スイッチ素子の複数個を各々駆動する複数の絶縁電源と、前記スイッチ素子の残りのスイッチ素子を各々駆動する複数のキャパシタと、該キャパシタを前記絶縁電源によって充電する充電回路とを有し、該キャパシタに充電された電荷を前記残りのスイッチ素子の駆動に利用することを特徴としている。
また、請求項２記載の発明は、請求項１記載の３レベル中性点クランプ形インバータにおいて、前記複数の絶縁電源を分圧回路を用いて１個の絶縁電源にすることを特徴としている。
そして、請求項３記載の発明は、請求項１又は２記載の３レベル中性点クランプ形インバータにおいて、前記充電回路中に電流制限抵抗を設けたことを特徴としている。
さらに、請求項４以降記載の発明は、上記の発明を各々具体的な回路構成の３レベル中性点クランプ形インバータにおいて実現している。